(57)【特許請求の範囲】
【請求項１】
医用画像管理装置毎に、画像データ、当該画像データに関連して設定されている患者情報及び検査オーダ情報を含む画像設定情報、医用画像管理装置の固有の施設設定情報、を含む医用画像情報を記憶する医用画像記憶手段と、
前記医用画像記憶手段に記憶されている医用画像情報のバックアップデータを記憶するデータ記憶手段と、
仮運用のために前記データ記憶手段に記憶されているバックアップデータを前記医用画像記憶手段に記憶させる際、前記医用画像情報から前記画像データを除いたバックアップデータを前記データ記憶手段から取得して前記医用画像記憶手段に記憶させ、前記画像データの参照先を前記データ記憶手段に設定する制御手段と、
を備える、医用画像管理システム。
【請求項２】
前記画像データに基づく画像を表示する表示手段を備え、
前記画像データは、当該画像データが圧縮された圧縮画像データと、当該画像データが圧縮されていない非圧縮画像データとを含み、
前記制御手段は、
前記画像データを参照する際、当該画像データの圧縮画像データを参照し、当該圧縮画像データに基づいて前記表示手段に画像を表示させる、
請求項１に記載の医用画像管理システム。
【請求項３】
前記表示手段に表示されている圧縮画像データに基づく画像に対して、前記非圧縮画像データに基づく画像の表示要求が入力される入力手段を備え、
前記制御手段は、
前記入力手段から前記非圧縮画像データに基づく画像の表示要求が入力された場合、当該表示手段に表示されている圧縮画像データに基づく画像に対する前記データ記憶手段に記憶されている非圧縮画像データを参照し、当該非圧縮画像データに基づく画像を前記表示手段に表示させる、
請求項２に記載の医用画像管理システム。
【請求項４】
医用画像管理装置毎に、画像データ、当該画像データに設定されている患者情報及び検査オーダ情報を含む画像設定情報、医用画像管理装置の固有の設定情報、を含む医用画像情報を記憶する医用画像記憶手段と、前記医用画像記憶手段に記憶されている医用画像情報のバックアップデータを記憶するデータ記憶手段と、を備えた医用画像管理システムの医用画像管理方法において、
前記医用画像記憶手段に記憶されている医用画像情報をデータ記憶手段にバックアップする工程と、
仮運用のために前記データ記憶手段に記憶されているバックアップデータを前記医用画像記憶手段に記憶させる際、前記医用画像情報から前記画像データを除いたバックアップデータを前記データ記憶手段から取得して前記医用画像記憶手段に記憶し、前記画像データの参照先を前記データ記憶手段に設定する工程と、
を含む、医用画像管理方法。
【発明の詳細な説明】
【技術分野】
【０００１】
本発明は、医用画像管理システム及び医用画像管理方法に関する。
【背景技術】
【０００２】
近年、医療施設内でＣＴ、ＭＲ等のモダリティにより生成された画像データ、当該画像データの画像情報、患者情報等の医用画像情報は、ハードディスク等の記憶媒体に記憶され管理されている。そして、誤操作や誤更新等による医用画像情報の破損が発生した場合に備え、当該医用画像情報を復元するために他の記憶媒体に当該医用画像情報のバックアップコピーが行なわれ管理されている。
【０００３】
例えば、特許文献１には、記憶媒体に記憶された医用画像データベースのバックアップを行なう際、バックアップを行なう記憶媒体の情報も管理する医用画像データベース管理方法が開示されている。また、特許文献２には、バックアップメディアにバックアップされた医療情報を復元するため、患者の医療情報を患者の属する地域に対応して準備されたバックアップメディアに記録して管理する医療画像管理方法が開示されている。
【先行技術文献】
【特許文献】
【０００４】
【特許文献１】特開平１０−２２８４０１号公報
【特許文献２】特開２０００−１８１９７９号公報
【発明の概要】
【発明が解決しようとする課題】
【０００５】
しかしながら、医用画像情報を記憶している記憶媒体を備える医用画像管理装置が故障し、当該故障した医用画像管理装置を修理に出す場合、修理期間中に使用する代替の医用画像管理装置に故障した医用画像管理装置の医用画像情報のバックアップデータを反映してからでないと、代替の医用画像管理装置を使用することができない。
【０００６】
このバックアップデータを反映する作業では、データ量の大きい画像データの反映作業時間に長時間要する。そのため、代替の医用画像管理装置が使用できないために、故障した医用画像管理装置を使用するシステムが停止する期間が長時間にわたるという問題が生じている。
【０００７】
本発明の課題は、上記問題に鑑みて、医用画像管理装置を代替の医用画像管理装置に交換する場合に、当該代替の医用画像管理装置に交換された医用画像管理装置のバックアップデータを反映する際に生じる当該医用画像管理装置を使用するシステムの停止期間の短縮を図ることである。
【課題を解決するための手段】
【０００８】
請求項１に記載の発明は、医用画像管理装置毎に、画像データ、当該画像データに関連して設定されている患者情報及び検査オーダ情報を含む画像設定情報、医用画像管理装置の固有の施設設定情報、を含む医用画像情報を記憶する医用画像記憶手段と、前記医用画像記憶手段に記憶されている医用画像情報のバックアップデータを記憶するデータ記憶手段と、仮運用のために前記データ記憶手段に記憶されているバックアップデータを前記医用画像記憶手段に記憶させる際、前記医用画像情報から前記画像データを除いたバックアップデータを前記データ記憶手段から取得して前記医用画像記憶手段に記憶させ、前記画像データの参照先を前記データ記憶手段に設定する制御手段と、を備える、医用画像管理システムである。
【０００９】
請求項２に記載の発明は、請求項１に記載の医用画像管理システムにおいて、前記画像データに基づく画像を表示する表示手段を備え、前記画像データは、当該画像データが圧縮された圧縮画像データと、当該画像データが圧縮されていない非圧縮画像データとを含み、前記制御手段は、前記画像データを参照する際、当該画像データの圧縮画像データを参照し、当該圧縮画像データに基づいて前記表示手段に画像を表示させる。
【００１０】
請求項３に記載の発明は、請求項２に記載の医用画像管理システムにおいて、前記表示手段に表示されている圧縮画像データに基づく画像に対して、前記非圧縮画像データに基づく画像の表示要求が入力される入力手段を備え、前記制御手段は、前記入力手段から前記非圧縮画像データに基づく画像の表示要求が入力された場合、当該表示手段に表示されている圧縮画像データに基づく画像に対する前記データ記憶手段に記憶されている非圧縮画像データを参照し、当該非圧縮画像データに基づく画像を前記表示手段に表示させる。
【００１１】
請求項４に記載の発明は、医用画像管理装置毎に、画像データ、当該画像データに設定されている患者情報及び検査オーダ情報を含む画像設定情報、医用画像管理装置の固有の設定情報、を含む医用画像情報を記憶する医用画像記憶手段と、前記医用画像記憶手段に記憶されている医用画像情報のバックアップデータを記憶するデータ記憶手段と、を備えた医用画像管理システムの医用画像管理方法において、前記医用画像記憶手段に記憶されている医用画像情報をデータ記憶手段にバックアップする工程と、仮運用のために前記データ記憶手段に記憶されているバックアップデータを前記医用画像記憶手段に記憶させる際、前記医用画像情報から前記画像データを除いたバックアップデータを前記データ記憶手段から取得して前記医用画像記憶手段に記憶し、前記画像データの参照先を前記データ記憶手段に設定する工程と、を含む、医用画像管理方法である。
【発明の効果】
【００１２】
本発明によれば、医用画像管理装置を代替の医用画像管理装置に交換する場合に、当該代替の医用画像管理装置に交換された医用画像管理装置のバックアップデータを反映する際に生じる当該医用画像管理装置を使用するシステムの停止期間の短縮を図ることができる。
【図面の簡単な説明】
【００１３】
【図１】本実施の形態における医用画像管理システムの概略構成図である。
【図２】医用画像管理装置の機能構成例を示す図である。
【図３】データバンクの機能構成の例を示す図である。
【図４】仮運用開始準備処理のフローチャートである。
【図５】初期設定画面の例を示す図である。
【図６】データバンク設定画面の例を示す図である。
【図７】仮運用モードが実行されている場合の画像データの表示処理の例のフローチャートである。
【図８】患者リスト画面の例を示す図である。
【図９】ビューア画面の例を示す図である。
【図１０】オリジナル画像の読込指示が入力される場合のビューア画面の例を示す図である。
【図１１】仮運用終了処理のフローチャートである。
【発明を実施するための形態】
【００１４】
以下、図を参照して本発明の実施の形態を詳細に説明する。
まず、構成を説明する。
【００１５】
〔医用画像管理システム１００の構成〕
図１に、本実施の形態における医用画像管理システムの概略構成図を示す。
図１に示すように、医用画像管理システム１００は、医療施設毎の施設内医用画像管理システム１０とデータバンク２０とがネットワークＮを介して相互にデータの送受信が可能に接続されて構成されている。
【００１６】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００１７】
〔施設内医用画像管理システム１０の構成〕
施設内医用画像管理システム１０は、医療施設内毎に構築され、受付装置１、オーダ生成装置２、画像生成装置３、医用画像管理装置４等がＬＡＮ（Local Area Network）等の通信ネットワーク５を介して相互にデータの送受信が可能に接続されて構成されている。
【００１８】
通信ネットワークで用いられる通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施の形態に適用可能な通信方式はこれに限定されない。
【００１９】
受付装置１は、来院した患者の受付登録、会計計算、保険点数計算等を行うためのコンピュータ装置である。受付装置１は、ＣＰＵ（Central Processing Unit）等により構成される制御部、ＨＤＤ（Hard Disk Drive）やＲＡＭ等により構成される記憶部、キーボードやマウス等により構成される入力部、ＣＲＴ（Cathode Ray Tube）やＬＣＤ（Liquid Crystal Display）等により構成される表示部、通信ネットワーク５に接続された各装置との通信を制御する通信部（いずれも図示せず）等を備えて構成されている。
【００２０】
受付装置１は、入力部より受付入力画面の表示が指示されると、制御部と記憶部に記憶されたプログラムとの協働により、表示部に図示しない受付入力画面を表示する。この受付入力画面を介して入力部により受付情報（受付番号、患者氏名等）が入力されると、受付された患者の患者情報を作成（更新）して記憶部に記憶し、通信部により適宜医用画像管理装置４に対して送信する。患者情報としては、患者を識別するための患者識別情報（例えば、患者ＩＤ）、患者の氏名、性別、生年月日等の情報が含まれる。
【００２１】
オーダ生成装置２は、オペレータによる登録操作に応じて検査オーダ情報を生成する。オーダ生成装置２としては、例えば、ＨＩＳやＲＩＳ等を適用することができる。検査オーダ情報は、検査オーダ情報を識別するためのオーダＩＤ、検査日付、検査対象の患者情報（患者ＩＤ、患者氏名、性別、年齢等）、依頼医師名、画像生成装置（モダリティ）、検査コード等の情報を含む。検査コードは、検査内容（撮影する部位、方向、左右、予約手続記述、検査記述、シリーズ記述等）を示すコード値である。検査コードは、ＤＩＣＯＭ規格に準拠したものである。
オーダ生成装置２は、生成された検査オーダ情報を画像生成装置３と、医用画像管理装置４とに送信する。
【００２２】
画像生成装置３は、人体を撮影し、その撮影画像（医用画像）のデジタルデータ（以下、画像データと称す）を生成するものであり、例えばＣＲ（Computed Radiography）、ＦＰＤ（Flat Panel Detector ）、ＣＴ（Computed Tomography）、ＭＲＩ（Magnetic Resonance Imaging）、カセッテ専用の読取装置、フィルムディジタイザ等のモダリティを適用可能である。
【００２３】
画像生成装置３は、生成した画像データに患者情報や、検査情報、画像を識別するためのＵＩＤ（Unique ＩＤ）等の画像情報等の、画像データに関連して設定された画像設定情報をヘッダ情報として付加して医用画像管理装置４に送信する。
検査情報には、検査を識別するための検査識別情報（例えば、検査ＩＤ）、検査日、検査条件（検査部位、側性（左、右）、方向（例えば、上下方向（ＣＣ）、斜位方向（ＭＬＯ））、モダリティ種等の情報が含まれる。
【００２４】
なお、画像生成装置３は、ＤＩＣＯＭ規格に準拠した装置であり、生成した画像データに付帯させる各種情報、例えば、患者情報や検査情報を外部から入力可能であるとともに、自動生成することもできる。また、画像生成装置３がＤＩＣＯＭ規格に準拠していない場合には、図示しないＤＩＣＯＭ変換装置を用いて付帯情報を画像生成装置３に入力させることも可能である。
【００２５】
医用画像管理装置４は、画像生成装置３から送信された画像データを取り込んで医師による診断のために表示したり、外部に出力したりするコンピュータ装置である。また、医用画像管理装置４は、取り込んだ画像データを画像設定情報と対応付けて保存及び管理する。
【００２６】
〔医用画像管理装置４の構成〕
図２に、医用画像管理装置４の機能構成例を示す。
図２に示すように医用画像管理装置４は、制御部４１、ＲＡＭ４２、記憶部４３、操作部４４、表示部４５、第１通信部４６、第２通信部４７等を備えて構成されており、各部はバス４８により接続されている。
【００２７】
制御部４１は、ＣＰＵ（Central Processing Unit）等から構成され、医用画像管理装置４の各部の処理動作を統括的に制御する。具体的には、制御部４１は、操作部４４から入力される操作信号、第１通信部４６又は第２通信部４７により受信される指示信号に応じて、記憶部４３に記憶されている各種処理プログラムを読み出してＲＡＭ４２内に展開し、当該プログラムとの協働により各種処理を実行する。
【００２８】
また、制御部４１は、レプリケーション処理プログラムとミラーリング処理プログラム等を用いて、記憶部４３の画像設定情報領域４３１、施設設定情報領域４３２、画像データ領域４３３内にそれぞれ格納されている各種情報のコピーを、第２通信部４７からネットワークＮを介してデータバンク２０に送信して格納させ、画像設定情報領域４３１、施設設定情報領域４３２、画像データ領域４３３内に格納されている各種情報のバックアップを行っている。
【００２９】
画像設定情報領域４３１のバックアップは、レプリケーション処理プログラム、例えば、非同期マスタスレーブ・レプリケーション・システムとして一般的なＳｌｏｎｙ−Ｉを用いて実行される。このＳｌｏｎｙ−Ｉは、データの更新が発生すると、更新データをテーブルに記録、転送、更新の実行をすることによってレプリケーションを実現するものである。
【００３０】
施設設定情報領域４３２及び画像データ領域４３３のバックアップは、ミラーリング処理プログラムを用いて実行される。このミラーリング処理では、記憶部４３の施設設定情報領域４３２、画像データ領域４３３に記憶されている情報とデータバンク２０に格納されている情報との差分情報や、更新された情報が検知され、検知された差分情報や更新情報がデータバンク２０にコピーされる。
【００３１】
更に、本実施の形態の制御部４１は、自装置を施設内医用画像管理システムに設置されていた医用画像管理装置の代替装置として機能させる場合には、仮運用モードで各種処理を実行する。仮運用モードを実行する前には、仮運用モード開始準備処理が制御部４１により実行される。
【００３２】
仮運用モード開始準備処理では、施設内医用画像管理システムに設置されていた医用画像管理装置のバックアップデータから画像データを除いたバックアップデータがデータバンク２０から取得され記憶部４３に記憶され、画像データの参照先がデータバンク２０に設定される。
【００３３】
仮運用モードの実行中では、画像データに基づく画像を表示部４５に表示させる場合には、画像データが医用画像管理装置４の記憶部４３内に無いため、データバンク２０に格納されている画像データが参照され、当該画像データに基づいて表示部４５に画像が表示される。なお、仮運用モードの実行中であっても、バックアップ処理は行なわれる。
【００３４】
ＲＡＭ４２は、制御部４１により実行制御される各種処理において、記憶部４３から読み出された制御部４１で実行可能な各種プログラム、入力若しくは出力データ、及びパラメータ等を一時的に記憶する。
【００３５】
記憶部４３は、ＨＤＤ（Hard Disk Drive）や半導体の不揮発性メモリ等により構成される。記憶部４３は、前述のように各種プログラムを記憶しているほか、各種プログラムを実行するために必要なパラメータやデータを記憶している。
また、記憶部４３は、画像設定情報領域４３１、施設設定情報領域４３２、画像データ領域４３３を有しており、これら各領域に画像設定情報、施設設定情報、画像データをそれぞれ格納している。従って、記憶部４３は、画像設定情報、施設設定情報、画像データを含む医用画像情報を格納する医用画像記憶手段として機能する。
【００３６】
画像設定情報領域４３１は、生成された画像データに関連して設定された情報（画像設定情報）を格納する領域である。画像設定情報としては、例えば、患者情報、画像情報（各画像データのＵＩＤ、ファイル名、ファイル格納場所、ファイルサイズ、更新日時等）、検査オーダ情報等である。
【００３７】
施設設定情報領域４３２は、医用画像管理装置４の固有の情報（施設設定情報）を格納する領域である。施設設定情報領域４３２には、例えば、医用画像管理装置４が設置された施設内医用画像管理システムの識別情報（施設コード、パスワード等）、医用画像管理装置４の識別情報（製品番号、号機番号等）、医用画像管理装置４を使用するユーザ情報等が格納される。
【００３８】
画像データ領域４３３には、画像生成装置３において生成された画像データと画像データのＵＩＤとが対応付けられて格納されている。
【００３９】
操作部４４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部４１に出力する。
【００４０】
表示部４５は、例えば、ＣＲＴ（Cathode Ray Tube）やＬＣＤ（Liquid Crystal Display）等のモニタを備えて構成されており、制御部４１から入力される表示信号の指示に従って、画像データに基づく画像を含む画面や各種画面を表示する表示手段として機能する。
【００４１】
第１通信部４６は、通信ネットワーク５に接続された外部機器、例えば、受付装置１、オーダ生成装置２、画像生成装置３等との間でデータの送受信を行う。
【００４２】
第２通信部４７は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、ネットワークＮ上のデータバンク２０と相互に情報の送受信を行う。
【００４３】
〔データバンク２０の構成〕
図３に、データバンク２０の機能構成の例を示す。
図３に示すように、データバンク２０は、制御部２１、記憶部２２、ＤＢ（DataBase）サーバ２３、ファイルサーバ２４、通信部２５等を備えて構成されており、各部はバス２６により接続されている。
【００４４】
制御部２１は、ＣＰＵ、ＲＡＭ等から構成され、データバンク２０の各部の処理動作を統括的に制御する。具体的には、ＣＰＵは、通信部２５により受信される指示信号に応じて、記憶部２２に記憶されている各種処理プログラムを読み出し、ＲＡＭ内に形成されたワークエリアに展開し、当該プログラムとの協働により各種処理を行う。
【００４５】
また、制御部２１は、レプリケーション処理プログラム等を用いて、ネットワークＮを介して接続された各医用画像管理装置の記憶部４３の画像設定情報領域４３１、施設設定情報領域４３２、画像データ領域４３３内に格納されている各種情報のコピーをバックアップデータとして取得する。そして、施設内医用画像管理システム毎（医用画像管理装置毎）に、画像設定情報をＤＢサーバ２３に、施設設定情報と画像データとをファイルサーバ２４に格納して、各システム（各医用画像管理装置）の各種情報のバックアップを行っている。即ち、制御部２１は、データバンク２０を医用画像管理装置の記憶部４３に記憶されている医用画像情報のバックアップデータを記憶するデータ記憶手段として機能させる。
なお、制御部２１でのレプリケーション処理は、医用画像管理装置４で用いた技術と同様の技術を用いて実現するものであるため、説明は省略する。
【００４６】
記憶部２２は、ハードディスク等から構成され、各種プログラム、当該プログラムの実行に必要なパラメータやファイル等を記憶している。
【００４７】
ＤＢサーバ２３は、ハードディスク等の不揮発性の大容量メモリ等から構成され、施設内医用画像管理システム毎（医用画像管理装置毎）に、画像設定情報を格納している。
【００４８】
ファイルサーバ２４は、ハードディスク等の不揮発性の大容量メモリ等から構成され、施設内医用画像管理システム毎（医用画像管理装置毎）に、施設設定情報と画像データとを格納している。ファイルサーバ２４に格納される画像データは、同一の画像データにおいて、予め設定された圧縮率で圧縮された圧縮画像データと、圧縮前の画像データ（非圧縮画像データ）とが含まれている。
【００４９】
通信部２５は、ネットワークインターフェースカード、モデム、ＵＳＢ等の各種インターフェースを備えて構成され、ネットワークＮ上の各施設内医用画像管理システムの医用画像管理装置４と相互に情報の送受信を行う。
【００５０】
次に、本実施の形態の動作を説明する。
〔仮運用開始準備処理〕
図４に、本実施の形態における仮運用開始準備処理のフローチャートを示す。
図４に示す処理は、医用画像管理装置の制御部４１とデータバンク２０の制御部２１との協働により実行される。
【００５１】
まず、医用画像管理装置４が故障すると、サービスマンが故障した医用画像管理装置に替えて他の医用画像管理装置（以下、代替医用画像管理装置と称す）に交換する。そして、サービスマンによる操作部４４の操作によって入力された操作信号に基づいて、代替医用画像管理装置の表示部４５に初期設定画面が表示される（ステップＳ１）。
【００５２】
図５に、初期設定画面の例を示す。
図５に示すように、初期設定画面Ｇ１００には、施設設定情報領域Ｅ１１０と、データバンクを使用するか否かを示すチェックボックスＢ１２０と、連携ＢＯＸを使用するか否かを示すチェックボックスＢ１３０とが設けられている。
施設設定情報領域Ｅ１１０には、施設内医用画像管理システム及び医用画像管理装置４の識別情報（施設識別情報）を入力する各種項目欄が含まれている。例えば、施設設定情報領域Ｅ１１０には、施設コード欄Ｅ１１１、パスワード欄Ｅ１１２、製品番号欄Ｅ１１３、号機番号欄Ｅ１１４等が設けられている。
【００５３】
操作部４４により、図１に示す初期設定画面Ｇ１００の施設設定情報領域Ｅ１１０に故障した医用画像管理装置の施設識別情報が入力され（ステップＳ２）、データバンクを使用するか否かを示すチェックボックスＢ１２０にチェックが入れられてデータバンクの使用する指示が入力されると（ステップＳ３）、データバンク設定画面が代替医用画像管理装置の表示部４５に表示される（ステップＳ４）。
【００５４】
図６に、データバンク設定画面の例を示す。
図６に示すように、データバンク設定画面Ｇ２００には、接続先設定領域Ｅ２１０と、仮運用設定領域Ｅ２２０と、が設けられている。
接続先設定領域Ｅ２１０には、データバンクに接続するための各種情報を入力する領域と、初期設定ボタンＢ２１１とが含まれている。
仮運用設定領域Ｅ２２０には、仮運用開始ボタンＢ２２１と、仮運用終了ボタンＢ２２２とが含まれている。
【００５５】
データバンク設定画面Ｇ２００において、接続先設定領域Ｅ２１０内に各種情報が入力された後、初期設定ボタンＢ２１１が押下されると、代替医用画像管理装置４からデータバンクへ、初期設定画面Ｇ１００において入力された施設設定情報を含む初期設定要求情報が送信される（ステップＳ５）。
【００５６】
データバンク２０では、初期設定要求情報を受信すると、制御部２１により、当該初期設定要求情報に含まれる施設設定情報に対応する医用画像管理装置の画像設定情報と施設設定情報とが、ＤＢサーバ、ファイルサーバからそれぞれ読み出される。即ち、初期設定要求情報に含まれる施設設定情報に対応する医用画像管理装置の医用画像情報のバックアップデータのうち、画像データを除くバックアップデータが読み出される。そして、読み出された画像設定情報と施設設定情報とが初期設定要求情報の送信元である代替医用画像管理装置に送信される（ステップＳ６）。
【００５７】
代替医用画像管理装置４の制御部４１では、データバンク２０から画像設定情報及び施設設定情報が第２通信部４７を介して受信されると（ステップＳ７）、図６に示した仮運用開始ボタンＢ２２１と仮運用終了ボタンＢ２２２とが有効となる。この有効となった仮運用開始ボタンＢ２２１が押下されて仮運用モードの開始設定がなされると（ステップＳ８）、画像データの参照先が記憶部４３の画像データ領域４３３からデータバンク２０に切り替えられて設定され（ステップＳ９）、仮運用モードが開始され、仮運用開始準備処理は終了する。
【００５８】
故障した医用画像管理装置の修理が完了し、当該医用画像管理装置が施設内医用画像管理システム１０に接続されるまで、仮運用モードが開始された代替医用画像管理装置を用いて、施設内医用画像管理システムが動作することとなる。
【００５９】
〔仮運用モード〕
図７に、仮運用モードが実行されている場合の画像データの表示処理の例のフローチャートを示す。図７に示す処理は、代替医用画像管理装置の制御部４１と各部との協働により実行される。
【００６０】
まず、代替医用画像管理装置の操作部４４に入力された操作信号に応じて、表示部４５に患者リスト画面が表示される（ステップＳ１１）。
【００６１】
図８に、患者リスト画面Ｇ３００の例を示す。
図８に示すように、患者リスト画面Ｇ３００には、患者情報表示領域Ｅ３１０と、患者リスト表示領域Ｅ３２０とが設けられている。
患者情報表示領域Ｅ３１０では、患者リスト表示領域Ｅ３２０に表示されている患者リストから選択された患者の患者情報が表示されたり、当該患者情報の修正が行なわれたりする。患者リスト表示領域Ｅ３２０には、患者毎に、診療日、受付時間、受付番号、診療科、担当医、患者ＩＤ、患者氏名、性別、生年月日、年齢等の患者情報が一覧として表示される。
【００６２】
患者リスト画面Ｇ３００の患者リスト表示領域Ｅ３２０において、いずれかの患者情報が操作部４４により選択され、ビューア画面の表示指定がなされると（ステップＳ１２）、データバンク２０のファイルサーバ２４に格納されている当該代替医用画像管理装置の画像データのうち表示指定された患者情報に基づくビューア画面を構成する画像の画像データの圧縮画像データが参照され（ステップＳ１３）、当該参照された圧縮画像データに基づいて表示指定された患者情報のビューア画面が表示部４５に表示される（ステップＳ１４）。
【００６３】
図９に、ビューア画面の例を示す。
図９に示すように、ビューア画面Ｇ４００には、画像表示欄Ｅ４１１〜Ｅ４１４、各種ツール欄Ｅ４２０等が設けられている。
仮運用モード実行時での画像表示欄Ｅ４１１〜Ｅ４１４には、患者情報に対応する患者の圧縮画像データに基づく画像が表示される。従って、仮運用モード実行中のビューア画面に表示される画像は、解像度の低い画像であることから、ユーザが当該画像を拡大したり読影を行なう場合等には、圧縮されていない画像データ（非圧縮画像データ）に基づく画像（オリジナル画像）の表示が所望される場合がある。
【００６４】
ビューア画面Ｇ４００上に表示されている画像のうち、オリジナル画像の表示を行う画像が選択され、オリジナル画像の読込指示の入力があるか否か判別される（ステップＳ１５）。
【００６５】
図１０に、オリジナル画像の読込指示が入力される場合のビューア画面の例を示す。
図１０に示すように、ビューア画面Ｇ４００では、画像表示領域Ｅ４１１〜Ｅ４１４に表示されている画像のうち、いずれかの画像が操作部４４により選択されると、コンテキストメニューＥ４３０が表示される。このコンテキストメニューＥ４３０には、仮運用モードの場合のみ有効となるオリジナル画像読込項目Ｂ４３１が含まれている。
このオリジナル画像読込項目Ｂ４３１が選択されることにより、オリジナル画像の読込指示が入力される。従って、オリジナル画像読込項目Ｂ４３１は、コンテキストメニューＥ４３０が表示された画像に対する非圧縮画像データに基づく画像の表示要求（オリジナル画像の読込指示）が入力される入力手段として機能する。
【００６６】
オリジナル画像の読込指示がある場合（ステップＳ１５；ＹＥＳ）、データバンク２０のファイルサーバ２４が参照され、当該代替医用画像管理装置の画像データのうち、オリジナル画像の読込指示がなされた画像の非圧縮画像データが取得され（ステップＳ１６）、取得された非圧縮画像データに基づくオリジナル画像が表示部４５に表示される（ステップＳ１７）。なお、オリジナル画像は、ビューア画面の画像表示領域、又は、別の画面に表示される。
【００６７】
ビューア画面を閉じる指示が操作部４４から入力されたか否かが判別され（ステップＳ１８）、ビューア画面を閉じる指示が入力されていない場合（ステップＳ１８；ＮＯ）、ステップＳ１５の処理に戻り、ビューア画面を閉じる指示が入力された場合（ステップＳ１８；ＹＥＳ）には、本処理が終了される。
【００６８】
〔仮運用終了処理〕
図１１に、本実施の形態における仮運用終了処理のフローチャートを示す。
図１１に示す処理は、医用画像管理装置の制御部４１と各部との協働により実行される。
【００６９】
まず、サービスマンの操作により、代替医用画像管理装置の表示部４５にデータバンク設定画面が表示される（ステップＳ２１）。
なお、ステップＳ２１で表示されるデータバンク設定画面の例は、図６と同様であるため、図示及び説明は省略する。
【００７０】
データバンク設定画面Ｇ２００において、仮運用終了ボタンＢ２２２が押下されて仮運用モードの終了設定がなされると（ステップＳ２２）、画像データの参照先がデータバンク２０から記憶部４３の画像データ領域４３３に切り替えられ（ステップＳ２３）、仮運用モードが終了され、仮運用終了処理が終了する。
【００７１】
以上のように、本実施の形態によれば、データバンク２０に記憶されているバックアップデータを医用画像管理装置の記憶部４３に記憶させる際、画像データを除いたバックアップデータをデータバンク２０から取得して医用画像管理装置の記憶部４３に記憶させ、画像データの参照先をデータバンク２０に設定することができる。そのため、医用画像管理装置を代替装置として使用する際に生じるデータ量の大きい画像データを反映する時間を省くことができ、代替の医用画像管理装置にバックアップデータを反映する際の、医用画像管理装置及び当該医用画像管理装置を使用するシステム（施設内医用画像管理システム）の停止期間の短縮を図ることができる。
【００７２】
また、圧縮画像データを参照して表示部４５に画像を表示することができるため、画像の表示処理に要する制御負荷を低減でき、表示処理に要する時間を短縮できる。
【００７３】
更に、圧縮画像データに基づく画像に対して、非圧縮画像データに基づく画像の表示要求（オリジナル画像の読込指示）が入力された場合には、非圧縮画像データに基づく画像を表示部４５に表示させることができる。そのため、ユーザは、高解像度の画像を表示させたい場合等の必要に応じて、非圧縮画像データに基づいて表示された画像を確認することができる。
【００７４】
以上の説明では、本発明に係るプログラムのコンピュータ読み取り可能な媒体として、ＨＤＤや半導体の不揮発性メモリを使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【００７５】
また、本発明は、上記実施の形態の内容に限定されるものではなく、本発明の主旨を逸脱しない範囲で適宜変更可能である。
【符号の説明】
【００７６】
１  受付装置
２  オーダ生成装置
３  画像生成装置
４  医用画像管理装置
４１  制御部
４２  ＲＡＭ
４３  記憶部
４４  操作部
４５  表示部
４６  第１通信部
４７  第２通信部
４８  バス
４３１  画像設定情報領域
４３２  施設設定情報領域
４３３  画像データ領域
５  通信ネットワーク
１０  施設内医用画像管理システム
２０  データバンク
２１  制御部
２２  記憶部
２３  ＤＢサーバ
２４  ファイルサーバ
２５  通信部
２６  バス
１００  医用画像管理システム
Ｇ１００  初期設定画面
Ｅ１１０  施設設定情報領域
Ｅ１１１  施設コード欄
Ｅ１１２  パスワード欄
Ｅ１１３  製品番号欄
Ｅ１１４  号機番号欄
Ｂ１２０、Ｂ１３０  チェックボックス
Ｇ２００  データバンク設定画面
Ｅ２１０  接続先設定領域
Ｂ２１１  初期設定ボタン
Ｅ２２０  仮運用設定領域
Ｂ２２１  仮運用開始ボタン
Ｂ２２２  仮運用終了ボタン
Ｇ３００  患者リスト画面
Ｅ３１０  患者情報表示領域
Ｅ３２０  患者リスト表示領域
Ｇ４００  ビューア画面
Ｅ４１１〜Ｅ４１４  画像表示欄
Ｅ４２０  各種ツール欄
Ｅ４３０  コンテキストメニュー
Ｂ４３１  オリジナル画像読込項目
Ｎ  ネットワーク
【図１】
0005564929.tif 000002
【図２】
0005564929.tif 000003
【図３】
0005564929.tif 000004
【図４】
0005564929.tif 000005
【図５】
0005564929.tif 000006
【図６】
0005564929.tif 000007
【図７】
0005564929.tif 000008
【図８】
0005564929.tif 000009
【図１１】
0005564929.tif 000010
【図９】
0005564929.tif 000011
【図１０】
0005564929.tif 000012